(57)【要約】【課題】  ケースを簡易に組み立てることができると共に、十分な嵌合強度を得る。【解決手段】  ブースター１のケースは、ケース本体１０とスライド式カバー２０を嵌合することにより構成され、ケースの上面は共に直角三角形状とされているケース本体１０の本体上面部１１とスライド式カバー２０のカバー上面部２１とで構成される。ケース本体１０に対してスライド式カバー２０を横方向にスライドさせて、ケース本体１０にスライド式カバー２０を嵌合することにより、ケースは組み立てられている。ケースの側面の一方を構成するカバー側面部２２には、第１調整ツマミ３０および第２調整ツマミ４０とが、ケース内に収納された電子回路の調整用素子に、カバー側面部２２に対して直交する方向から嵌合されている。これにより、第１調整ツマミ３０および第２調整ツマミ４０がストッパーとなって、ネジ等の固着手段を用いることなくケース本体１０にスライド式カバー２０を強固に固着することができる。【選択図】  図２
2016039349.tif 000002
【特許請求の範囲】
【請求項１】
矩形状の本体側面部の３辺から立設するよう本体上面部と本体背面部と本体下面部とが形成され、対面する前記本体上面部と前記本体下面部との長辺が斜面とされて、前記本体上面部と前記本体下面部との形状が、前記本体背面部から先端に向かって高さが低くなる三角形とされている内部が収納空間とされたケース本体と、
矩形状のカバー側面部の３辺から立設するようカバー上面部とカバー前面部とカバー下面部とが形成され、対面する前記カバー上面部と前記カバー下面部との長辺が斜面とされて、前記カバー上面部と前記カバー下面部との形状が、前記カバー前面部から先端に向かって高さが低くなる三角形とされている内部が収納空間とされたカバーとを備え、
前記本体側面部の前端部に複数の係止片が形成されていると共に、前記本体背面部の上端部に複数の係止孔が形成され、前記カバー側面部の前端部に前記係止片に係合される複数の係合片が形成されていると共に、前記カバー前面部の上端部に前記係止孔に係合される複数の係合爪が形成されており、
前記本体上面部と前記本体下面部との斜面とされた長辺と、前記カバー上面部と前記カバー下面部との斜面とされた長辺とが当接するように、前記ケース本体に対して前記カバーを横方向からスライドさせて、前記係止片に前記係合片を係合すると共に、前記係止孔に前記係合爪を係合することにより、前記ケース本体に前記カバーが嵌合されることを特徴とする電子機器用ケース。
【請求項２】
前記ケース本体に前記カバーが嵌合されることにより収納空間が形成され、該収納空間に調整用素子を備える電子回路が収納されて、前記カバー側面部に形成されたツマミ挿通孔部から先端部が臨んでいる前記調整用素子に、前記カバー側面部に対してほぼ直交する方向からツマミが嵌合された際に、前記ツマミが前記ツマミ挿通孔部に回動可能に係合されることを特徴とする請求項１記載の電子機器用ケース。
【請求項３】
前記ケース本体に前記カバーが嵌合されることにより収納空間が形成され、該収納空間に切換スイッチを備える電子回路が収納されて、前記カバー側面部に形成された挿通孔部から先端部が臨んでいる前記切換スイッチに、前記カバー側面部に対してほぼ直交する方向からスイッチツマミが嵌合された際に、前記スイッチツマミが前記挿通孔部に摺動可能に係合されることを特徴とする請求項１または２に記載の電子機器用ケース。
【請求項４】
前記電子回路は金属製のシャーシ内に内蔵され、該シャーシが前記ケース本体と前記カバーとで形成される収納空間に収納されることを特徴とする請求項１ないし３のいずれかに記載の電子機器用ケース。
【発明の詳細な説明】
【技術分野】
【０００１】
本発明は、電子機器を内蔵するケースに関し、特にブースターに適用して好適な電子機器ケースに関する。
【背景技術】
【０００２】
入力されるＶＨＦ／ＵＨＦ信号やＢＳ／ＣＳ信号の信号電力が所望の値より小さい時には、受信信号を増幅するブースターが用いられている。このブースターにはＶＨＦ／ＵＨＦ信号やＢＳ／ＣＳ信号を増幅する電子回路が内蔵されており、この電子回路にＶＨＦ／ＵＨＦ信号やＢＳ／ＣＳ信号を供給する入力端子と、電子回路により増幅されたＶＨＦ／ＵＨＦ信号やＢＳ／ＣＳ信号を混合して出力する出力端子が設けられている。このブースターにおける入力端子および出力端子は同軸コネクタとされ、それぞれ同軸ケーブルが装着される。
【０００３】
卓上に設置される従来のブースター１００の構成を示す前面から見た斜視図および背面から見た斜視図を図１１（ａ）（ｂ）に示す。これらの図に示す従来のブースター１００のケースは横長の箱状とされており、ブースター１００はテレビ台の中や上に横長に設置したり、起立させて縦長に設置したりすることができる。ケースは、ケースをほぼ半截した一面が開口された箱状の第１ケース１１０と第２ケース１２０とから構成されており、第１ケース１１０内にブースターの電子回路を組み込んだシャーシを配設し、開口面同士を向き合わせて第２ケース１２０を第１ケース１１０に嵌合する。これにより、シャーシが内蔵されたケースが構成される。電子回路は、ＶＨＦ／ＵＨＦ信号やＢＳ／ＣＳ信号を増幅する電子回路とされており、ブースター１００は、ＶＨＦ／ＵＨＦ信号やＢＳ／ＣＳ信号を増幅して出力する機能を備えている。そして、ブースター１００のケースの背面にはＶＨＦ／ＵＨＦ信号およびＢＳ／ＣＳ信号を供給する２つの入力端子と、内蔵された電子回路により増幅されたＶＨＦ／ＵＨＦ信号およびＢＳ／ＣＳ信号を出力する２つの出力端子からなる同軸コネクタ１５０が設けられている。また、ブースター１００の第１側面は第１ケース１１０の内の最も大きな面積の下面で構成され、ブースター１００の第２側面は第２ケース１２０の内の最も大きな面積の上面で構成される。第１ケース１１０の下面に対面する面と、第２ケースの上面に対面する面とが開口されている。第１ケース１１０と第２ケース１２０とは、一面が開口された箱状のほぼ同様の形状とされ、共に樹脂を成形することにより作成されている。
【０００４】
ブースター１００の第２側面にはＶＨＦ信号、ＵＨＦ信号およびＢＳ／ＣＳ信号の増幅度をそれぞれ調整する３つのゲイン調整つまみ１３０が設けられており、ＶＨＦ信号、ＵＨＦ信号およびＢＳ／ＣＳ信号のゲインを任意に調整することができるようにされている。また、ブースター１００の第２側面にはＢＳ／ＣＳアンテナへ電源を供給する送電用スイッチと、２つの入力端子にそれぞれＶＨＦ／ＵＨＦ信号およびＢＳ／ＣＳ信号を入力するか、１つの入力端子にＶＨＦ／ＵＨＦ／ＢＳ／ＣＳの混合信号を入力するかを切り換える切換スイッチと、１つの出力端子だけを使用するか２つの出力端子を使用するかを切り換える切換スイッチとからなる３つのスイッチのＳＷツマミ１４０が設けられている。
【先行技術文献】
【特許文献】
【０００５】
【特許文献１】特開２００５−２１７２５７号公報
【発明の概要】
【発明が解決しようとする課題】
【０００６】
従来のブースター１００の第１ケース１１０と第２ケース１２０とからなるケースの組み立て工程について図１２および図１３（ａ）（ｂ）を参照しながら説明する。図１２はブースター１００の第１の組立工程を示す分解組立図であり、図１３（ａ）（ｂ）はブースター１００のケースの第２，３の組立工程を示す分解組立図である。
従来のブースター１００のケースを組み立てる図１２に示す第１の組立工程では、まず、電子回路を組み込んだシャーシ１６０を第１ケース１１０内に配設する。シャーシ１６０の上面からはゲインを調整するボリューム（ＶＲ）である３つの調整ＶＲ１６１の操作部と、３つのスイッチ（ＳＷ１６２）の３つのＳＷツマミ１４０とが突出するよう設けられている。この３つの調整ＶＲ１６１と３つのＳＷツマミ１４０に、第２ケース１２０の３つのツマミ挿通孔１２１と３つのＳＷツマミ挿通孔１２２とをそれぞれ位置合わせするように、第２ケース１２０の開口面を第１ケース１１０の開口面に対面させる。次いで、図１３（ａ）に示す第２の組立工程により第１ケース１１０の開口面に第２ケース１２０の開口面を位置合わせして両者を嵌合させる。さらに、第１ケース１１０の４角に形成された固着部１７０の挿通孔に裏面からそれぞれネジを挿通して、第２ケース１２０の４角にネジをそれぞれ螺着する。この第２の組立工程により、図１３（ａ）に示すように、第１ケース１１０の開口面を閉塞するよう第２ケース１２０が嵌合されてケースが組み立てられる。ケースの内部にはシャーシ１６０が内蔵され、３つの調整ＶＲ１６１の操作部が第２ケース１２０のツマミ挿通孔１２１に臨むようになると共に、３つのスイッチＳＷ１６２の３つのＳＷツマミ１４０がＳＷツマミ挿通孔１２２に臨むようになる。次いで、図１３（ｂ）に示す第３の組立工程により、３つの調整ツマミ１３０を３つの調整ＶＲ１６１の丸棒状の操作部にそれぞれ位置合わせして、調整ツマミ１３０を調整ＶＲ１６１の操作部にそれぞれ嵌合させる。これにより、調整ツマミ１３０がツマミ挿通孔１２１に配置されると共に、調整ツマミ１３０のそれぞれにより調整ＶＲ１６１のそれぞれを調整することができるようになる。また、ＳＷツマミ１４０のそれぞれを操作することにより、ＳＷ１６２をそれぞれ切換操作できるようになる。
【０００７】
このように、従来のブースター１００のケースは、第１ケース１１０に第２ケース１２０を嵌合しているが、その嵌合方向はブースター１００の第１側面１１０ａおよび第２側面１２０ａにほぼ直交する方向とされていることから、十分な嵌合強度が得られず第１ケース１１０から第２ケース１２０が外れてしまう恐れがあるため、４本のネジにより第１ケース１１０と第２ケース１２０の４角を固着することにより第１ケース１１０から第２ケース１２０が外れてしまわないようにしていた。このため、ケースの組み立て工程数が増加すると共に部品費が必要となり、コストが上昇するという問題点があった。
【０００８】
そこで、本発明は、ケースを簡易に組み立てることができると共に、十分な嵌合強度が得られる電子機器用ケースを提供することを目的としている。
【課題を解決するための手段】
【０００９】
本発明にかかる電子機器用ケースは、矩形状の本体側面部の３辺から立設するよう本体上面部と本体背面部と本体下面部とが形成され、対面する前記本体上面部と前記本体下面部との長辺が斜面とされて、前記本体上面部と前記本体下面部との形状が、前記本体背面部から先端に向かって高さが低くなる三角形とされている内部が収納空間とされたケース本体と、矩形状のカバー側面部の３辺から立設するようカバー上面部とカバー前面部とカバー下面部とが形成され、対面する前記カバー上面部と前記カバー下面部との長辺が斜面とされて、前記カバー上面部と前記カバー下面部との形状が、前記カバー前面部から先端に向かって高さが低くなる三角形とされている内部が収納空間とされたカバーとを備え、前記本体側面部の前端部に複数の係止片が形成されていると共に、前記本体背面部の上端部に複数の係止孔が形成され、前記カバー側面部の前端部に前記係止片に係合される複数の係合片が形成されていると共に、前記カバー前面部の上端部に前記係止孔に係合される複数の係合爪が形成されており、前記本体上面部と前記本体下面部との斜面とされた長辺と、前記カバー上面部と前記カバー下面部との斜面とされた長辺とが当接するように、前記ケース本体に対して前記カバーを横方向からスライドさせて、前記係止片に前記係合片を係合すると共に、前記係止孔に前記係合爪を係合することにより、前記ケース本体に前記カバーが嵌合されることを最も主要な特徴としている。
また、本発明にかかる他の電子機器用ケースは、上記構成に加えて、前記ケース本体に前記カバーが嵌合されることにより収納空間が形成され、該収納空間に調整用素子を備える電子回路が収納されて、前記カバー側面部に形成されたツマミ挿通孔部から先端部が臨んでいる前記調整用素子に、前記カバー側面部に対してほぼ直交する方向からツマミが嵌合された際に、前記ツマミが前記ツマミ挿通孔部に回動可能に係合されることを最も主要な特徴としている。
【発明の効果】
【００１０】
本発明の電子機器用ケースは、ケース本体に対してカバーを横方向からスライドさせて、ケース本体の係止片にカバーの係合片を係合すると共に、ケース本体の係止孔にカバーの係合爪を係合することにより、ケース本体にカバーを嵌合するようにしたので、ケースを簡易に組み立てることができると共に、十分な嵌合強度が得られる電子機器用ケースとすることができる。
また、カバー側面部に形成されたツマミ挿通孔部から先端部が臨んでいる調整用素子に、ほぼ直交する方向からツマミを嵌合してツマミ挿通孔部に回動可能に係合させると、嵌合状態のカバーをケース本体に対してスライドさせようとしてもツマミがストッパーとなって、スライドできないことから、ネジ等の固着手段を用いることなくケース本体にカバーを強固に固着することができる。
【図面の簡単な説明】
【００１１】
【図１】本発明の実施例の電子機器ケースを備えるブースターの構成を示す斜視図である。
【図２】本発明の実施例の電子機器ケースを備えるブースターの構成を示す正面図、Ａ−Ａ線断面図である。
【図３】本発明の実施例にかかるブースターの第１の組立工程を示す分解組立図、断面図で示すその下面図である。
【図４】本発明の実施例にかかるブースターの第２の組立工程を示す分解組立図、断面図で示すその下面図である。
【図５】本発明の実施例にかかるブースターの第３の組立工程を示す分解組立図、断面図で示すその下面図である。
【図６】本発明の実施例にかかるブースターのケース本体の構成を示す前方から見た斜視図、後方から見た斜視図である。
【図７】本発明の実施例にかかるブースターのケース本体の構成を示す後方から見た背面の斜視図、前方から見た背面の斜視図である。
【図８】本発明の実施例にかかるブースターのスライド式カバーの構成を示す前方から見た正面の斜視図、後方から見た正面の斜視図である。
【図９】本発明の実施例にかかるブースターのスライド式カバーの構成を示す後方から見た背面の斜視図、前方から見た背面の斜視図である。
【図１０】本発明の実施例にかかるブースターの調整ツマミの構成を示す前方から見た斜視図、後方から見た斜視図である。
【図１１】従来のブースターの構成を示す前方から見た斜視図、後方から見た斜視図である。
【図１２】従来のブースターの第１の組立工程を示す分解組立図である。
【図１３】従来のブースターの第２，３の組立工程を示す分解組立図である。
【発明を実施するための形態】
【００１２】
本発明の実施例の電子機器用ケースを備えるブースターの構成を示す斜視図を図１に、本発明の実施例の電子機器ケースを備えるブースターの構成を示す正面図を図２（ａ）に、そのＡ−Ａ線断面図を図２（ｂ）に示す。
これらの図に示すブースター１は、ケース本体１０とスライド式カバー２０とからなる本発明の実施例のケースを備えている。そこで、以下の説明ではブースター１を本発明にかかるブースター１と表記するものとする。このケースは、ケース本体１０とスライド式カバー２０を嵌合することにより構成され、ケースの前面はスライド式カバー２０のカバー前面部２４で、ケースの側面の一方はスライド式カバー２０のカバー側面部２２で、ケースの上面は共に直角三角形状とされているケース本体１０の本体上面部１１とスライド式カバー２０のカバー上面部２１とで、ケースの背面はケース本体１０の本体背面部１４で構成される。また、図示していないがケースの側面の他方はケース本体１０の後述する本体側面部１２で、ケースの下面は共に直角三角形状とされているケース本体１０の後述する本体下面部１３とスライド式カバー２０の後述するカバー下面部２３とで構成される。後述するように、ケース本体１０に対してスライド式カバー２０を横方向にスライドさせて、ケース本体１０にスライド式カバー２０を嵌合している。ケース本体１０とスライド式カバー２０とからなる本発明の実施例のケースの内部は収納空間とされており、この収納空間に、ブースター１が備える増幅器を構成する電子回路が内蔵された金属製のシャーシ６０が収納されている。本発明にかかるブースター１は、供給されたＵＨＦ信号やＢＳ／ＣＳ信号の信号電力が所望の値より小さく、画面にブロックノイズが発生する場合等に、供給された信号を増幅するために設置される。ブースター１により供給された信号を増幅してテレビ受像器等に供給することにより、画質を改善することが可能となる。 
【００１３】
図１，２に示す本発明にかかるブースター１のケースは横長の箱状とされており、ブースター１はテレビ台の中や上に横長に設置したり、起立させて縦長に設置したりすることができる。ケース本体１０とスライド式カバー２０とは、カバー前面部２４の紙面上の左縁と本体背面部１４の右縁とを含む面を切断面としてケースをほぼ半截した形状とされている。ケース本体１０は、前面部と一方の側面部とが開口され本体上面部１１と本体下面部１３とが直角三角形状とされた箱状とされ、スライド式カバー２０は、背面部と一方の側面部とが開口されカバー上面部２１とカバー下面部２３とが直角三角形状とされた箱状とされている。カバー前面部２４のほぼ中央には電源が供給されているときに点灯するＰＬランプ５２が設けられ、カバー側面部２２にはＢＳ／ＣＳ信号のゲインを調整する第１調整ツマミ３０と、ＵＨＦ信号のゲインを調整する第２調整ツマミ４０との２つのゲイン調整ツマミと、ＢＳ／ＣＳアンテナへ電源を供給する切換スイッチの切換操作を行う第１ＳＷツマミ５０と、２つの入力端子にＵＨＦ信号およびＢＳ／ＣＳ信号を混合して入力するか、個別に入力するかを切り換える切換スイッチの切換操作を行う第２ＳＷツマミ５１との２つのＳＷツマミが設けられている。なお、図２（ｂ）に示すようにシャーシ６０内に内蔵された増幅器の電子回路は、ＢＳ／ＣＳ信号のゲインを調整する調整用素子である第１調整ＶＲ６１と、ＵＨＦ信号のゲインを調整する調整用素子である第２調整ＶＲ６２と、ＢＳ／ＣＳアンテナへ電源を供給する第１切換ＳＷ６３と、２つの入力端子にＵＨＦ信号およびＢＳ／ＣＳ信号を混合して入力するか、個別に入力するかを切り換える切換スイッチを備えている。
【００１４】
次に、ケース本体１０、スライド式カバー２０および第１調整ツマミ３０（第２調整ツマミ４０）の構成の説明を行い、次に、本発明に係るブースター１の組立工程を説明するものとする。
ケース本体１０の詳細構成を図６，図７に示す。図６（ａ）はケース本体１０の構成を示す前方から見た斜視図、図６（ｂ）は後方から見た斜視図、図７（ａ）は後方から見た背面の斜視図、図７（ｂ）は前方から見た背面の斜視図である。
これらの図に示すケース本体１０は樹脂製とされ、矩形状の本体側面部１２の３辺から立設するよう本体上面部１１と本体背面部１４と本体下面部１３とが形成されており、対面する本体上面部１１と本体下面部１３との上辺とされる長辺が斜面とされて、本体上面部１１と本体下面部１３との形状が、本体背面部１４から先端に向かって高さが低くなる直角三角形状とされている。このケース本体１０の内部は収納空間とされている。平面板状とされた本体側面部１２の前端部の内面には３ヶ所に断面コ字状の係止片１２ａが立設されて形成されており、係止片１２ａより内側に並んで板状の挟持片１２ｃが複数形成されている。この挟持片１２ｃの本体背面部１４側の面の先端部には段差部と、段差部から先端にいくほど低くなる斜面とを有する爪が形成されており、ケース本体１０内に収納されたシャーシ６０を保持している。挟持片１２ｃより内側にリング状の所定高さの側面ボス１２ｂが複数形成されていると共に、本体側面部１２と本体背面部１４との角部にかけて板状の複数のボスが立設されて形成されている。また、本体背面部１４の上端には３ヶ所に係止孔１４ａとされる矩形の窓が形成されており、直角三角形状の本体上面部１１の内面には、本体背面部１４とほぼ平行に伸びる板状の複数本の上面ボス１１ａが形成されており、直角三角形状の本体下面部１３の内面にも、本体背面部１４とほぼ平行に伸びる板状の下面ボス１３ａが形成されている。
【００１５】
本体背面部１４の周囲は、所定の高さで立設された壁面部１４ｄで囲まれており、本体背面部１４には４つの円形の貫通孔１４ｂが縦方向に並んで形成されている。この貫通孔１４ｂには、それぞれシャーシ６０の背面から突出している同軸コネクタ５４が挿入されて、２つの入力端子と２つの出力端子が外部へ突出される。また、最下段の貫通孔１４ｂの斜め下方には電源コードが導入される円形の貫通孔が形成されている。ケース本体１０内にシャーシ６０を収納すると、シャーシ６０の下面は本体側面部１２の内面に形成された側面ボス１２ｂを含む複数のボスの先端面に当接し、シャーシ６０の両側面は上面ボス１１ａおよび下面ボス１３ａの先端面に当接して位置決めされる。そして、挟持片１２ｃがシャーシ６０の前面に圧接されて、シャーシ６０はケース本体１０内に保持されるようになる。なお、本体側面部１２の外側の面における４角には、それぞれリング状突起１２ｄが形成されており、リング状突起１２ｄには滑り止め用のゴム足が装着される。
【００１６】
スライド式カバー２０の詳細構成を図８，図９に示す。図８（ａ）はスライド式カバー２０の構成を示す前方から見た正面の斜視図、図８（ｂ）は後方から見た正面の斜視図、図９（ａ）は後方から見た背面の斜視図、図９（ｂ）は前方から見た背面の斜視図である。
これらの図に示すスライド式カバー２０は樹脂製とされ、矩形状のカバー側面部２２の３辺から立設するようカバー上面部２１とカバー背面部２４とカバー下面部２３とが形成されており、対面するカバー上面部２１とカバー下面部２３との上辺とされる長辺が斜面とされて、カバー上面部２１とカバー下面部２３との形状が、カバー背面部２４から先端に向かって高さが低くなる直角三角形状とされている。このスライド式カバー２０の内部は収納空間とされている。
【００１７】
平面板状とされたカバー側面部２２の前端部の内面には３ヶ所に先端に爪を有する係合片２２ａが立設されて形成されており、係合片２２ａより内側に２つ並んで矩形孔を囲む矩形枠状の矩形挿通孔部２２ｃが形成されている。係合片２２ａの爪は、段差部と、段差部から先端にいくほど低くなる斜面とを有しており、３つの係合片２２ａは、係止孔１４ａが形成されている位置に対応して形成され、矩形挿通孔部２２ｃの矩形孔内には第１ＳＷツマミ５０および第２ＳＷツマミ５１が摺動可能に配置される。矩形挿通孔部２２ｃより内側に円形の孔を囲むリング状の所定高さのツマミ挿通孔部２２ｂが横方向に並んで２つ形成されていると共に、ツマミ挿通孔部２２ｂを挟むようにカバー上面部２１に平行な板状の長い２つのスライドボス２２ｄが立設されて形成されている。
また、カバー背面部２４の上端には３ヶ所に先端に爪を有する係合爪２４ａがカバー側面部２２にほぼ平行に突出して形成され、ほぼ中央には円形の透孔２４ｂが形成されている。係合爪２４ａは、段差部と、段差部から先端にいくほど低くなる斜面とを有しており、３つの係合爪２４ａは、係止片１２ａが形成されている位置に対応して形成されており、透孔２４ｂはＰＬランプ５２が臨む孔とされている。
【００１８】
第１調整ツマミ３０の詳細構成を図１０に示す。図１０（ａ）は第１調整ツマミ３０の構成を示す前方から見た斜視図、図１０（ｂ）は後方から見た斜視図である。なお、第２調整ツマミ４０は、第１調整ツマミ３０と同様の構成とされているので、その説明は省略する。
これらの図に示すように、第１調整ツマミ３０は大きな円形の本体円盤部３０ａと、本体円盤部３０ａの裏面から突出している円筒状の円筒部３０ｄとから構成されている。本体円盤部３０ａの外周部は中央部からテーパ部３０ｃにより前面側に突出して形成されており、本体円盤部３０ａの中心線上に本体円盤部３０ａとほぼ同じ高さの板状の把持部３０ｂが形成されている。第１調整ツマミ３０を、カバー側面部２２のツマミ挿通孔部２２ｂに臨んでいる第１調整ＶＲ６１に装着すると、円筒部３０ｄは第１調整ＶＲ６１の丸棒状の操作部に嵌挿されて、第１調整ＶＲ６１を回転することができるようになる。また、円筒部３０ｄの両側には一対の係合部３０ｅが形成されており、この一対の係合部３０ｅの爪部がリング状のツマミ挿通孔部２２ｂの後面に係合して、第１調整ツマミ３０を回転させてもツマミ挿通孔部２２ｂから抜け出ないようになる。
【００１９】
次に、本発明に係るブースター１の組立工程を図３ないし図５を参照しながら説明する。図３（ａ）は本発明にかかるブースター１の第１の組立工程を示す分解組立図、図３（ｂ）は断面図で示すその下面図、図４（ａ）は本発明にかかるブースター１の第２の組立工程を示す分解組立図、図４（ｂ）は断面図で示すその下面図、図５（ａ）は本発明にかかるブースター１の第３の組立工程を示す分解組立図、図５（ｂ）は断面図で示すその下面図である。
第１の組立工程では、図３（ａ）（ｂ）に示すように、ケース本体１０にＵＨＦ増幅器およびＢＳ／ＣＳ増幅器の電子回路が内蔵されたシャーシ６０を収納し、ケース本体１０の本体上面部１１と本体下面部１３との斜面とされた長辺と、スライド式カバー２０のカバー上面部２１とカバー下面部２３との斜面とされた長辺とを対面するよう位置合わせする。次いで、ケース本体１０に対してスライド式カバー２０を図３（ａ）の矢印で示す横方向にスライドさせていく。この時、板状のスライドボス２２ｂ上をシャーシ６０の上面が摺接していくようになる。第２の組立工程では、図４（ａ）（ｂ）に示すように、本体上面部１１と本体下面部１３との斜面に、カバー上面部２１とカバー下面部２３との斜面が当接する。そして、スライド式カバー２０の３ヶ所の係合片２２ａを、ケース本体１０の３ヶ所の係止孔１４ａに挿入して係合すると共に、スライド式カバー２０の３ヶ所の係合爪２４ａを、ケース本体１０の３ヶ所の係止片１２ａに挿入して係合する。これにより、ケース本体１０にスライド式カバー２０が横方向から嵌合するようになる。次いで、カバー側面部２２の矩形挿通孔部２２ｃに、カバー側面部２２に対して直交する方向から第１ＳＷツマミ５０を挿入して、下部を第１切換ＳＷ６３に嵌合する。第１ＳＷツマミ５０は、縦長の矩形挿通孔部２２ｃ内を移動することができ、移動することにより第１切換ＳＷ６３を切り換えることができる。第２ＳＷツマミ５１についても同様であり、カバー側面部２２の矩形挿通孔部２２ｃに、カバー側面部２２に対して直交する方向から第２ＳＷツマミ５１を挿入して、下部を第２切換ＳＷに嵌合する。第２ＳＷツマミ５１は、縦長の矩形挿通孔部２２ｃ内を移動することができ、移動することにより第２切換ＳＷを切り換えることができる。また、シャーシ６０の背面から突出して設けられている４つの同軸コネクタ５４が、それぞれケース本体１０の本体背面部１４の貫通孔１４ｂを貫通してブースター１から外部へ突出するようになる。
【００２０】
第３の組立工程においては、図５（ａ）（ｂ）に示すように、カバー側面部２２の円形のツマミ挿通孔部２２に臨んでいる第１調整ＶＲ６１および第２調整ＶＲ６２に相対するよう第１調整ツマミ３０および第２調整ツマミ４０を位置合わせして配置する。次いで、ツマミ挿通孔部２２ｂに臨んでいる第１調整ＶＲ６１および第２調整ＶＲ６２に、第１調整ツマミ３０および第２調整ツマミ４０をカバー側面部２２に対して直交する図示する矢印の方向からそれぞれ嵌合する。これにより、第１調整ツマミ３０および第２調整ツマミ４０の円筒部が第１調整ＶＲ６１および第２調整ＶＲ６２の丸棒状の操作部に嵌挿されて、第１調整ＶＲ６１および第２調整ＶＲ６２を回転操作して、ＢＳ／ＣＳ信号のゲインおよびＵＨＦ信号のゲインを調整できるようになる。また、第１調整ツマミ３０および第２調整ツマミ４０の一対の係合部の爪部がツマミ挿通孔部２２ｂのリング状の後面に係合して、第１調整ツマミ３０および第２調整ツマミ４０を回転させてもツマミ挿通孔部２２ｂから抜け出ないようになる。
【００２１】
これにより、本発明にかかるブースター１が組み立てられて図１，図２に示す状態となる。ケースに収納されたシャーシ６０は、ケース本体１０の側面ボス１２ｂ、上面ボス１１ａ、下面ボス１３ａや板状のボス、および、スライド式カバー２０のスライドボス２２ｂによりガタつくことなくケース内に収納される。本発明にかかるブースター１は、ケース本体１０にスライド式カバー２０を横方向からスライドして嵌合していることから、逆の横方向にスライド式カバー２０をスライドさせることにより、ケース本体１０から取り外すことが可能であるが、第１調整ツマミ３０および第２調整ツマミ４０は、この横方向に直交する縦方向から第１調整ＶＲ６１および第２調整ＶＲ６２に嵌合されているので、スライド式カバー２０の横方向のスライドのストッパーとなる。このため、スライド式カバー２０をスライドできないことから、ネジ等の固着手段を用いることなくケース本体１０にスライド式カバー２０を強固に固着することができるようになる。
【産業上の利用可能性】
【００２２】
以上の説明では、本発明に係る電子機器ケースはブースターのケースに適用したが、本発明はこれに限るものではなく卓上に設置される電子機器のケースに適用することができ、特に分岐器や分配器等に適用して好適なケースとなる。なお、本発明に係る電子機器ケースは台の中や上に横長に設置したり、起立させて縦長に設置したりすることができる。
【符号の説明】
【００２３】
１  ブースター、１０  ケース本体、１１  本体上面部、１１ａ  上面ボス、１２  本体側面部、１２ａ  係止片、１２ｂ  側面ボス、１２ｃ  挟持片、１２ｄ  リング状突起、１３  本体下面部、１３ａ  下面ボス、１４  本体背面部、１４ａ  係止孔、１４ｂ  貫通孔、１４ｄ  壁面部、２０  スライド式カバー、２１  カバー上面部、２２  カバー側面部、２２  ツマミ挿通孔部、２２ａ  係合片、２２ｂ  ツマミ挿通孔部、２２ｃ  矩形挿通孔部、２２ｄ  スライドボス、２３  カバー下面部、２４  カバー前面部、２４  カバー背面部、２４ａ  係合爪、２４ｂ  透孔、３０  第１調整ツマミ、３０ａ  本体円盤部、３０ｂ  把持部、３０ｃ  テーパ部、３０ｄ  円筒部、３０ｅ  係合部、４０  第２調整ツマミ、５０  第１ＳＷツマミ、５１  第２ＳＷツマミ、５２  ＰＬランプ、５４  同軸コネクタ、６０  シャーシ、６１  第１調整ＶＲ、６２  第２調整ＶＲ、６３  第１切換ＳＷ、１００  ブースター、１１０  第１ケース、１１０ａ  第１側面、１２０  第２ケース、１２０ａ  第２側面、１２１  ツマミ挿通孔、１２２  ＳＷツマミ挿通孔、１３０  調整ツマミ、１４０  ＳＷツマミ、１５０  同軸コネクタ、１６０  シャーシ、１６１  調整ＶＲ、１６２  ＳＷ、１７０  固着部
【図１】
2016039349.tif 000003
【図２】
2016039349.tif 000004
【図３】
2016039349.tif 000005
【図４】
2016039349.tif 000006
【図５】
2016039349.tif 000007
【図６】
2016039349.tif 000008
【図７】
2016039349.tif 000009
【図８】
2016039349.tif 000010
【図９】
2016039349.tif 000011
【図１０】
2016039349.tif 000012
【図１１】
2016039349.tif 000013
【図１２】
2016039349.tif 000014
【図１３】
2016039349.tif 000015